(57)【要約】【課題】発信端末がこの発信端末とは異なる通信網に収容される相手端末と通信を行う場合、相手端末への接続に必要な情報を得ることなく相手端末との通信を可能にする。【解決手段】異なる通信網間の中継を行う中継装置にテーブルを設け、このテーブルに、相手端末への発信に必要な接続情報（発信端末のＩＤと相手端末の電話番号とを対にした情報、又は、相手端末の電話番号とこの相手端末が属する通信網の回線識別情報とを対にした情報、又は、相手端末の短縮番号とこの端末の電話番号とを対にした情報）を登録する。これにより、発信端末の発信時には中継装置が前記接続情報をもとに相手端末へ発信できることから、発信端末側では発信時に相手端末への接続情報を得ることなく、相手端末に発信し通信できる。【選択図】  図１
2006270779.tif 000002
【特許請求の範囲】
【請求項１】
発信端末と、前記発信端末の属する通信網とは異なる通信網に属する相手端末との間の通信を中継する中継装置であって、
前記相手端末への発信に必要な接続情報が登録されたテーブルと、
前記発信端末の発信要求に応じて前記テーブルの前記接続情報を取得するとともに、取得した前記接続情報に基づいて前記相手端末への発信を行う制御手段と
を有することを特徴とする中継装置。
【請求項２】
請求項１において、
前記テーブルには、前記発信端末のＩＤと前記相手端末の電話番号とが対に前記接続情報として登録されることを特徴とする中継装置。
【請求項３】
請求項１において、
前記テーブルは、前記相手端末の電話番号とこの相手端末が属する通信網に収容される回線を識別するための回線識別情報とが対に前記接続情報として登録される第１のテーブルと、前記発信端末のＩＤと前記相手端末が属する通信網に収容される回線を識別するための回線識別情報とが対に前記接続情報として登録される第２のテーブルとを有し、
前記第１のテーブル内に前記相手端末の電話番号が未登録の場合に前記第２のテーブル内の前記発信端末のＩＤを検索する第１の検索手段と、
前記第２のテーブル内に前記発信端末のＩＤが未登録の場合に前記第１のテーブル内の前記着信端末の電話番号を検索する第２の検索手段と、
前記第１及び第２の検索手段の何れか一方を選択する選択手段と
を有することを特徴とする中継装置。
【発明の詳細な説明】
【技術分野】
【０００１】
本発明は、異なる通信網間の中継を行う中継装置に関する。
【背景技術】
【０００２】
この種の中継装置が適用されるシステムとして、複数のＩＰネットワーク間で会話通信が行えるようにした通信システムがある（例えば、特許文献１）。
【０００３】
この通信システムでは、複数のＩＰネットワークのうち、第１のＩＰネットワークで管理されている発信端末から、第１のＩＰネットワークとは異なる第２のＩＰネットワークで管理されている相手方端末への会話通信の要求を受けると、各ＩＰネットワークでそれぞれ管理されている接続情報を収集して作成されたデータベースから、相手方端末との会話通信に必要な接続情報を発信端末へ送信するようにしている。
【０００４】
ここで、上記通信システムでは、発信端末から会話通信要求がなされる相手方端末への接続に必要な情報（接続情報）は、相手方端末のメールアドレスにより特定するようにしている。すなわち、発信端末は相手方端末との会話通信を要求するメールを送信し、データベースでは、発信端末からのメールにより特定された相手方端末のメールアドレスをもとにその相手方端末の電話番号、アクセス番号等の接続情報を得て、その接続情報を発信端末にメールで返信する。
【０００５】
【特許文献１】特開２００３−１９８７２２号公報
【発明の開示】
【発明が解決しようとする課題】
【０００６】
しかしながら、前述した通信システムでは、相手先端末にメールアドレスが存在しなければ、発信端末では相手方端末への会話通信に必要な接続情報を得ることができず、したがって、相手方端末と会話通信を行うことができないという問題があった。
【０００７】
したがって、本発明は、発信端末がこの発信端末とは異なる通信網に収容される相手方端末と会話通信を行う場合に、相手方端末への接続に必要な情報を得ることなく相手方端末との会話通信を可能にすることを目的とする。
【課題を解決するための手段】
【０００８】
このような課題を解決するために本発明は、発信端末と、前記発信端末の属する通信網とは異なる通信網に属する相手端末との間の通信を中継する中継装置であって、相手端末への発信に必要な接続情報が登録されたテーブルを有することを特徴とする。
【０００９】
この場合、テーブルには、発信端末のＩＤと相手端末の電話番号とが対に接続情報として登録される。
また、テーブルには、相手端末の電話番号とこの相手端末が属する通信網に収容される回線を識別するための回線識別情報とが対に接続情報として登録される。
また、テーブルには、相手端末の短縮番号とこの相手端末の電話番号とが対に接続情報として登録される。
【発明の効果】
【００１０】
本発明によれば、異なる通信網間の中継を行う中継装置にテーブルを設け、このテーブルに、相手端末への発信に必要な接続情報を登録するように構成したので、発信端末の発信時には中継装置が前記接続情報をもとに相手端末へ発信できることから、発信端末側では発信時に相手端末への接続情報を得ることなく、相手端末に発信して通信を行うことができる。
【００１１】
この場合、発信端末のＩＤと相手端末の電話番号とを対に前記接続情報として前記テーブルに登録するようにしたので、簡単な構成で確実に相手端末側へ発信させることができる。
【００１２】
また、相手端末の電話番号とこの相手端末が属する通信網に収容される回線を識別するための回線識別情報とを対に前記接続情報として前記テーブルに登録するようにしたので、同様に簡単な構成で確実に相手端末側へ発信させることができる。
【００１３】
また、発信端末のＩＤと相手端末が属する通信網に収容される回線を識別するための回線識別情報とを対に前記接続情報として前記テーブルに登録するようにしたので、同様に簡単な構成で確実に相手端末側へ発信させることができる。
【００１４】
また、相手端末の短縮番号とこの相手端末の電話番号とを対に前記接続情報として前記テーブルに登録するようにしたので、同様に簡単な構成で確実に相手端末側へ発信させることができる。
【発明を実施するための最良の形態】
【００１５】
以下、本発明について図面を参照して説明する。
【００１６】
（第１の実施の形態）
図１（ａ）は本発明の中継装置を適用した第１の実施の形態を示すシステムの構成を示すブロック図である。本システムは、図１（ａ）に示すように、ネットワーク１０Ａ，１０Ｂと、ネットワーク１０Ａに収容される通信端末２０Ａ，２０Ｂと、ネットワーク１０Ｂに収容される通信端末２０Ｃ，２０Ｄと、ネットワーク１０Ａとネットワーク１０Ｂとの間を中継する中継装置３０とから構成される。
【００１７】
ここで、中継装置３０は、図１（ｂ）に示すように、制御部３１と、記憶部３２と、通信Ｉ／Ｆ部３３とから構成される。そして、中継装置３０の記憶部３２には変換テーブル３２Ａが設けられている。この変換テーブル３２Ａは、図１（ｃ）に示すように、発ＩＤ（発信端末のＩＤ）に対応して、発信番号が変換値として登録されている。図１（ｃ）の例では、ネットワーク１０Ａに属する通信端末２０Ａ，２０Ｂを発信端末とした例であり、発信端末２０Ａの発ＩＤ「1000」に対応して変換値としての発信番号「05012345555」が登録され、発信端末の発ＩＤ「2000」に対応して変換値としての発信番号「05012346666」が登録されている例である。
【００１８】
以上のように構成された中継装置３０の動作について説明する。
例えば、ネットワーク１０Ａに収容された通信端末２０Ａが自身の属するネットワーク１０Ａと異なるネットワーク１０Ｂに属する通信端末宛に発信する場合は、中継装置３０の電話番号「05012345678」を発信することにより中継装置３０に発信要求を行う。
【００１９】
この発信端末２０Ａからの発信要求はネットワーク１０Ａに属する回線１Ａを介して中継装置３０に伝達される。この発信要求を通信Ｉ／Ｆ部３３を介して受信した中継装置３０の制御部３１は、その発信要求に含まれる発信端末２０Ａの発ＩＤを取得する。そして、取得した発ＩＤが記憶部３２の変換テーブル３２Ａに登録されているか否かを判断する。
【００２０】
ここで、変換テーブル３２Ａには発信端末２０Ａの発ＩＤ「1000」が登録されていることから、制御部３１はこの発ＩＤ「1000」に対応して変換テーブル３２Ａに登録されている変換値「05012345555」を発信番号として読み出し、通信Ｉ／Ｆ部３３に送って、ネットワーク１０Ｂに属する回線１Ｂを介しネットワーク１０Ｂ側に発信させるとともに、回線１Ａと１Ｂを接続する。これにより、ネットワーク１０Ｂに収容される電話番号が「05012345555」の例えば端末２０Ｄに着信が報知される。そして、端末２０Ｄがその着信に応答することにより、異なるネットワーク１０Ａ，１０Ｂを介した発信端末２０Ａと着信端末２０Ｄとの通信が開始される。
【００２１】
このように、本システムは、異なるネットワーク１０Ａ，１０Ｂ間に中継装置３０を設けるとともに、中継装置３０に変換テーブル３２Ａを設け、変換テーブル３２Ａに、発信端末の発ＩＤを登録するとともに、その発ＩＤに対応して、前記発信端末に属するネットワークとは異なるネットワークに属する端末の電話番号を登録するように構成したものである。このように構成することにより、発信端末では自身が属するネットワークとは異なるネットワークに属する相手端末と通信を行う場合、中継装置３０の電話番号を発信するだけで中継装置３０側で自動的に相手端末に発信し相手端末の呼出が可能になることから、発信端末では相手端末への接続に必要な情報を得ることなく相手端末との通信を行うことができる。
【００２２】
（第２の実施の形態）
図２（ａ）は本発明の中継装置を適用した第２の実施の形態を示すシステムの構成を示すブロック図である。本システムは、図２（ａ）に示すように、ネットワーク１０Ａ，１０Ｂ，１０Ｃと、ネットワーク１０Ａに収容される通信端末２０Ａ，２０Ｂと、ネットワーク１０Ｂに収容される通信端末２０Ｃ，２０Ｄと、ネットワーク１０Ｃに収容される通信端末２０Ｅ，２０Ｆと、ネットワーク１０Ａ，１０Ｂ，１０Ｃ間を中継する中継装置３０とから構成される。
【００２３】
ここで、中継装置３０は、図１（ｂ）と同様構成の制御部３１、記憶部３２、通信Ｉ／Ｆ部３３からなる。そして、中継装置３０の記憶部３２には変換テーブル３２Ｂ、３２Ｃが設けられ、変換テーブル３２Ｂには、図２（ｂ）に示すように、着ＩＤ（着信端末のＩＤ）に対応して使用回線が登録され、変換テーブル３２Ｃには発ＩＤに対応して使用回線が登録されている。
【００２４】
図２の例では、ネットワーク１０Ｂに属する通信端末２０Ｃ，２０Ｄを着信端末とし、それらの着ＩＤが「03*」として変換テーブル３２Ｂに登録され、また、ネットワーク１０Ｃに属する通信端末２０Ｅ，２０Ｆを着信端末とし、それらの着ＩＤがそれぞれ、「050*」、「090*」として変換テーブル３２Ｂに登録される。そして、ネットワーク１０Ｂに属する通信端末２０Ｃ，２０Ｄの着ＩＤ「03*」に対応して、中継装置３０の使用回線１Ｂ（ネットワーク１０Ｂに属する回線）が登録され、ネットワーク１０Ｃに属する通信端末２０Ｅ，２０Ｆの着ＩＤ「050*」、「090*」に対応して、中継装置３０の使用回線１Ｃ（ネットワーク１０Ｃに属する回線）が登録される。なお、変換テーブル３２Ｂの着ＩＤ「03*」、「050*」、「090*」の「*」は、以降に続く番号が如何なる番号でも許容されることを表すワイルドカードである。
【００２５】
また、図２の例では、ネットワーク１０Ａに属する通信端末２０Ａ，２０Ｂを発信端末とし、それらの端末の発ＩＤがそれぞれ「1000」，「2000」として変換テーブル３２Ｃに登録されているとともに、発ＩＤ「1000」に対応して、中継装置３０の使用回線１Ｃ（ネットワーク１０Ｃに属する回線）が登録され。発ＩＤ「2000」に対応して、中継装置３０の使用回線１Ｂ（ネットワーク１０Ｂに属する回線）が登録されている。
【００２６】
以上のように構成された中継装置３０の動作について説明する。
例えば、ネットワーク１０Ａに収容された通信端末２０Ａが自身の属するネットワーク１０Ａと異なるネットワーク１０Ｃに属する通信端末２０Ｅの電話番号「05088889999」を発信したとする。
【００２７】
この発信端末２０Ａの発信に基づく発信要求はネットワーク１０Ａに属する回線１Ａを介して中継装置３０に伝達される。この発信要求を通信Ｉ／Ｆ部３３を介して受信した中継装置３０の制御部３１は、その発信要求に含まれる着信端末２０Ｅの電話番号「05088889999」を取得する。そして、取得した電話番号「05088889999」が記憶部３２の変換テーブル３２Ｂに登録されているか否かを判断する。
【００２８】
ここで、変換テーブル３２Ｂには、着ＩＤとして「050*」が登録されていることから、制御部３１は、変換テーブル３２Ｂには着信端末２０Ｅの着ＩＤ、即ち着信端末２０Ｅの電話番号「05088889999」が登録されているもの判断し、この着信端末２０Ｅの電話番号「05088889999」を通信Ｉ／Ｆ部３３に送り、さらに前記着ＩＤ「050*」に対応して変換テーブル３２Ｂに登録されている回線１Ｃ（即ち、ネットワーク１０Ｃに属する回線）を通信Ｉ／Ｆ部３３に使用させて、前記着信端末２０Ｅの電話番号「05088889999」を回線１Ｃを介して発信させるとともに、回線１Ａと１Ｃを接続する。これにより、ネットワーク１０Ｃに属する電話番号が「05088889999」の通信端末２０Ｅに着信が報知される。そして、通信端末２０Ｅがその着信に応答することにより、異なるネットワーク１０Ａ，１０Ｃを介した発信端末２０Ａと着信端末２０Ｅとの通信が開始される。
【００２９】
なお、変換テーブル３２Ｂに、着ＩＤ「050*」が登録されていない場合は、制御部３１は、発信端末２０Ａからの発信要求に含まれる発ＩＤが変換テーブル３２Ｃに登録されているか否かを判断する。ここで、変換テーブル３２Ｃには、発信端末２０Ａの発ＩＤ「1000」が登録されていることから、制御部３１は、着信端末２０Ｅの電話番号「05088889999」を通信Ｉ／Ｆ部３３に送り、さらに前記発ＩＤ「1000」に対応して変換テーブル３２Ｃに登録されている回線１Ｃ（即ち、ネットワーク１０Ｃに属する回線）を通信Ｉ／Ｆ部３３に使用させて、前記着信端末２０Ｅの電話番号「05088889999」を回線１Ｃを介して発信させるとともに、回線１Ａと１Ｃを接続する。これにより、ネットワーク１０Ｃに属する電話番号が「05088889999」の通信端末２０Ｅに着信が報知される。そして、通信端末２０Ｅがその着信に応答することにより、異なるネットワーク１０Ａ，１０Ｃを介した発信端末２０Ａと着信端末２０Ｅとの通信が開始される。
【００３０】
なお、本実施の形態では、発信端末２０Ａから発信要求があったときに最初に変換テーブル３２Ｂ内の着ＩＤを検索し、着ＩＤが登録されていないときに変換テーブル３２Ｃ内の発ＩＤを検索しているが、最初に変換テーブル３２Ｃ内の発ＩＤを検索し、発ＩＤが登録されていないときに変換テーブル３２Ｂ内の着ＩＤを検索するようにしても良い。
【００３１】
このように、本システムは、異なるネットワーク１０Ａ，１０Ｂ，１０Ｃ間に中継装置３０を設けるとともに、中継装置３０に変換テーブル３２Ｂ，３２Ｃを設け、変換テーブル３２Ｂに、着信端末の着ＩＤを登録するとともに、その着ＩＤに対応して、前記着信端末が収容されたネットワークに属する回線情報を登録するように構成したものである。また、変換テーブル３２Ｃに、発信端末の発ＩＤを登録するとともに、その発ＩＤに対応して、前記着信端末が収容されたネットワークに属する回線情報を登録するように構成したものである。このように構成することにより、発信端末では自身が属するネットワークとは異なるネットワークに属する相手端末と通信を行う場合、その相手装置の電話番号を発信するだけで中継装置３０側で自動的に相手端末が収容されるネットワークに属する回線を使用して相手番号を発信し相手端末を呼出できることから、発信端末では相手端末への接続に必要な情報を得ることなく相手端末との通信を行うことができる。
【００３２】
（第３の実施の形態）
図３（ａ）は本発明の中継装置を適用した第３の実施の形態を示すシステムの構成を示すブロック図である。本システムは、前述した図１（ａ）のシステムと同様に、ネットワーク１０Ａ，１０Ｂと、ネットワーク１０Ａに収容される通信端末２０Ａ，２０Ｂと、ネットワーク１０Ｂに収容される通信端末２０Ｃ，２０Ｄと、ネットワーク１０Ａとネットワーク１０Ｂとの間を中継する中継装置３０とから構成される。
【００３３】
また、中継装置３０の構成についても、前述した図１（ｂ）と同様に、制御部３１、記憶部３２、通信Ｉ／Ｆ部３３から構成される。そして、中継装置３０の記憶部３２には変換テーブル３２Ｄが設けられ、この変換テーブル３２Ｄには、図３（ｂ）に示すように、着ＩＤ（着信端末のＩＤ）として、着信端末の短縮番号“＃１”，“＃２”，…が登録され、その短縮番号“＃１”，“＃２”，…に対応して着信端末の実際の電話番号「05088889999」，「05011112222」，…が変換値としてそれぞれ登録されている。
【００３４】
図３の例では、ネットワーク１０Ａに属する通信端末２０Ａ，２０Ｂを発信端末とし、ネットワーク１０Ｂに属する通信端末２０Ｃ，２０Ｄを着信端末とした例である。
【００３５】
以上のように構成された中継装置３０の動作について説明する。
例えば、ネットワーク１０Ａに収容された端末２０Ａが自身の属するネットワーク１０Ａと異なるネットワーク１０Ｂに属する着信端末宛に発信する場合は、その着信端末の短縮番号を含んだ中継装置３０の電話番号「05012345678」を発信することにより中継装置３０に発信要求を行う。
【００３６】
この発信端末２０Ａからの発信要求はネットワーク１０Ａに属する回線１Ａを介して中継装置３０に伝達される。この発信要求を通信Ｉ／Ｆ部３３を介して受信した中継装置３０の制御部３１は、その発信要求に含まれる着信端末の短縮番号を取得する。そして、取得した短縮番号が記憶部３２の変換テーブル３２Ｄに登録されているか否かを判断する。
【００３７】
ここで、発信端末２０Ａの発信要求から取得した着信端末の短縮番号が例えば“＃１”である場合には、この短縮番号“＃１”は変換テーブル３２Ｄに登録されていることから、制御部３１はこの短縮番号“＃１”に対応して変換テーブル３２Ｄに登録されている変換値「05088889999」を発信番号として読み出し、通信Ｉ／Ｆ部３３に送って、ネットワーク１０Ｂに属する回線１Ｂを介しネットワーク１０Ｂ側に発信させるとともに、回線１Ａと１Ｂを接続する。これにより、ネットワーク１０Ｂに所属される電話番号が「05088889999」の例えば端末２０Ｄに着信が報知される。そして、端末２０Ｄがその着信に応答することにより、異なるネットワーク１０Ａ，１０Ｂを介した発信端末２０Ａと着信端末２０Ｄとの通信が開始される。
【００３８】
このように、本システムは、異なるネットワーク１０Ａ，１０Ｂ間に中継装置３０を設けるとともに、中継装置３０に変換テーブル３２Ｄを設け、変換テーブル３２Ｄに、着信端末の着ＩＤとしてその着信端末の短縮番号を登録するとともに、その短縮番号に対応して、その着信端末の実際の電話番号を登録するように構成したものである。このように構成することにより、発信端末では自身が属するネットワークとは異なるネットワークに属する相手端末と通信を行う場合、相手端末の短縮番号を含む中継装置３０の電話番号を発信するだけで中継装置３０側で自動的に相手端末に発信し相手端末を呼出できることから、発信端末では相手端末への接続に必要な情報を得ることなく相手端末との通信を行うことができる。また、短縮ダイヤル機能を有しない端末の短縮発信を可能にすることができる。
【図面の簡単な説明】
【００３９】
【図１】本発明の中継装置を適用したシステムの第１の実施の形態を示すブロック図（図１（ａ））、前記中継装置のブロック図（図１（ｂ））及び前記中継装置に設けられた変換テーブルの構成を示す図（図１（ｃ））である。
【図２】本発明の中継装置を適用したシステムの第２の実施の形態を示すブロック図（図２（ａ））、及び、前記中継装置に設けられた変換テーブルの構成を示す図（図２（ｂ））である。
【図３】本発明の中継装置を適用したシステムの第３の実施の形態を示すブロック図（図３（ａ））、及び、前記中継装置に設けられた変換テーブルの構成を示す図（図３（ｂ）である。
【符号の説明】
【００４０】
１Ａ，１Ｂ，１Ｃ…回線、１０Ａ，１０Ｂ，１０Ｃ…ネットワーク、２０Ａ，２０Ｂ，２０Ｃ，２０Ｃ，２０Ｄ，２０Ｅ，２０Ｆ…通信端末、３０…中継装置、３１…制御部、３２…記憶部、３２Ａ，３２Ｂ，３２Ｃ，３２Ｄ…変換テーブル、３３…通信Ｉ／Ｆ部。
【図１】
2006270779.tif 000003
【図２】
2006270779.tif 000004
【図３】
2006270779.tif 000005